(57)【要約】【課題】  換気装置を具備しこの換気装置の外側部分を覆う保護カバーを備え、この保護カバーが経年変化により変形してもファンの給気口又は排気口と保護カバーの開口部との間の風の流れを良好に保つようにした空気調和機を提供する。【解決手段】  室内に設置される室内機と、屋外に設置される室外機とを壁穴を通して冷媒配管で接続するようにした空気調和機において、屋外に設置される換気用室外ファン２０、及び給気口１４Ｂを有し前記室外ファン２０を収納するファンケース１３Ｂを有する換気装置と、前記ファンケース１３Ｂの外方を覆い換気用開口部４１を有する保護カバー３５とを備え、前記ファンケース１３Ｂの給気口１４Ｂ周縁と保護カバー３５の開口部４１周縁とを連結する取付具４７を設け、前記給気口１４Ｂと開口部４１とが対向するようにした。【選択図】      図２
2005077058.tif 000002
【特許請求の範囲】
【請求項１】
室内に設置される室内機と、屋外に設置される室外機とを壁穴を通して冷媒配管で接続するようにした空気調和機において、
屋外に設置される換気用室外ファン、及び給気口を有し前記室外ファンを収納するファンケースを有する換気装置と、前記ファンケースの外方を覆い換気用開口部を有する保護カバーとを備え、前記ファンケースの給気口周縁と保護カバーの開口部周縁とを連結する取付具を設け、前記給気口と開口部とが対向するようにしたことを特徴とする空気調和機。
【請求項２】
前記保護カバーの開口部には枠体を取り付け、この枠体に前記取付具の固定部を設けたたことを特徴とする請求項１に記載の空気調和機。
【発明の詳細な説明】
【技術分野】
【０００１】
本発明は、室内空気を換気する換気装置を具備させて、より快適な室内環境を提供することができるようにした空気調和機に関する。
【背景技術】
【０００２】
今日、室内の壁に分離型空気調和機の室内機を配し、室内空気を室内機内部の循環ファンにて室内機に吸い込み、室内機内部の熱交換器により熱交換させて発生した冷気又は暖気を室内に供給して室内を快適な温度環境に維持することは至極一般的となっている。しかし、冷房、暖房効果を良くするため、あまり室内の換気を行わないで空調されている。従って室内が長時間密閉的状態にあると室内空気が汚れるため、定期的に室内を開放し室内空気を逃がし、外気を取り入れ換気をする必要がある。
【０００３】
このため、従来から空気調和機に換気装置を備えるものが提案されている。例えば、建物の壁に、空気調和機の室内機と室外機間の冷媒配管が通過する空間および換気通路を有する壁穴を形成し、換気用ファン及びこれを駆動するためのファンモータを屋外でかつ換気通路の出口近傍に設けた換気装置（例えば、特許文献１参照）や、建物の壁に、冷媒配管が通過する空間及び換気通路を有する壁穴を形成し、ファンモータの左右両軸に設けたシロッコファンのうち一方が排気用導風路内に収容され、他方のシロッコファンが給気用導風路に収容された送風機を内装した換気ユニットを屋外でかつ換気通路の出口近傍に設け、片方のシロッコファンの回転により室内空気を排気用導風路から屋外へ排気し、同時に他方のシロッコファンの回転により外気を給気用導風路から室内へ取り入れて換気を行うようにした換気装置である。（例えば、特許文献２参照）。
【特許文献１】特開２００１−２７４３３
【特許文献２】特許第２６２９６６５号公報
【発明の開示】
【発明が解決しようとする課題】
【０００４】
ところで、上述した換気装置は、屋外側に換気用のファン、ファンモータ及びファンケース等の部品が配設されており、これらの部品を雨風や直射日光、物体の衝突等から保護するため、例えば、ファンケースを覆うように保護カバーを取り付けることがある。この保護カバーには前記ファンケースに設けられる給気口又は排気口に対向して開口部が設けられ、この開口部と給気口又は排気口との間に風が円滑に流れるようになっている。
【０００５】
しかしながら、前記保護カバーは長期間、屋外に設置されるので、経年変化により変形し給気口又は排気口と開口部との位置がずれて風の流れを悪くするおそれがあった。
【０００６】
本発明は、上記の事情に鑑みなされたものであり、換気装置を具備しこの換気装置の外側部分を覆う保護カバーを備え、この保護カバーが経年変化により変形してもファンの給気口又は排気口と保護カバーの開口部との間の風の流れを良好に保つようにした空気調和機を提供することを目的とする。
【課題を解決するための手段】
【０００７】
上記課題を解決するために、請求項１に記載の発明は、室内に設置される室内機と、屋外に設置される室外機とを壁穴を通して冷媒配管で接続するようにした空気調和機において、屋外に設置される換気用室外ファン、及び給気口を有し前記室外ファンを収納するファンケースを有する換気装置と、前記ファンケースの外方を覆い換気用開口部を有する保護カバーとを備え、前記ファンケースの給気口周縁と保護カバーの開口部周縁とを連結する取付具を設け、前記給気口と開口部とが対向するようにしたことを特徴とする。
【０００８】
請求項２に記載の発明は、請求項１に記載の空気調和機において、前記保護カバーの開口部には枠体を取り付け、この枠体に前記取付具の固定部を設けたた。
【発明の効果】
【０００９】
本発明によれば、換気装置のファンケースの給気口周縁部と、保護カバーの開口部周縁部との間に取付具を介して連結するようにしたので、給気口と開口部との間の距離が一定に保たれ、かつ給気口の面と開口部の面とが平行に保たれて風の流れを良くし換気を円滑に行うことができる。
【００１０】
また、保護カバーの開口部に枠体を取り付けたことにより、開口部の周縁が変形しにくくなり、保護カバー全体の変形に対して給気口と開口部との位置関係がしっかり保たれて風の流れを良くすることができる。
【実施例１】
【００１１】
以下、本発明の一実施形態を図面に基づき説明する。図１は一部を切欠いて示した換気装置を備えた空気調和機の外観斜視図、図２は保護カバーの右側面を切欠いて示した斜視図、図３は保護カバーの正面図、図４は取付具の斜視図である。
【００１２】
図１において、本空気調和機は、室内機１と室外機（図示せず）とを備え、これら室内機１と室外機とが冷媒配管１８にてつながれている。室内機１は、吸込パネル２を有した前部ケース３と背面側の後部ケース４から成る本体ケース５を有し、該本体ケース５の下端部には吹出口（図示せず）が設けられると共に、この本体ケース５内に室内の空気を加熱／冷却する熱交換器６が配されている。熱交換器６は冷媒がそのフィンと直交しかつ蛇行させて配設した冷媒管７を通過することにより、冷房／除湿運転時に冷却器として機能し、暖房運転時には加熱器として機能するものである。
【００１３】
また本体ケース５の内部には、熱交換器６で取り囲まれるように循環ファン８が設けられ、該循環ファン８により室内の空気が吸込パネル２から吸い込まれ、熱交換器６で加熱／冷却されて冷風／温風が吹出口から再び室内に吹き出されて循環するものである。この他に、滴下するドレン水を溜め排出するために熱交換器６の下端部に設けられたドレンパン９や、熱交換器６と吸込パネル２との間に配されるエアフィルター、また吹出口に設けられた吹出方向を変更させる風向器（図示せず）などの構成部品を有する。さらに室外機（図示せず）の圧縮機の運転制御、前記循環ファン８のファンモータの駆動制御等を行うための電装部１１等が、本体ケース５の片側部に区画して内蔵されている。
【００１４】
１２は、室内空気を室外（屋外）に排気して換気するための室内ファンで、室内機１内に収容されている。具体的には例えば熱交換器６の側面近傍等に配置されている。この室内ファン１２にはシロッコファンを使用し、このシロッコファンと駆動用モータとが厚みの薄い略円筒形状の室内ファンケース１３Ａ内に収容されている。シロッコファンが回転すると、室内ファンケース１３Ａの片面側に開けた円形の給気口１４Ａより室内空気が吸い込まれた後、室内ファンケース１３Ａの一端部に設けた吹出部１５ａより吹き出される。
【００１５】
一方２０は、屋外空気を室内に給気して換気するための室外ファンで、屋外に臨む位置に設けられている。すなわち室内機１を取り付けている室内の壁（図示せず）の外に配置している。この室外ファン２０にもシロッコファンを使用しており、先の室内ファン１２と同様に、シロッコファンが回転すると、室外ファンケース１３Ｂの片面側に開けた円形の給気口１４Ｂより屋外空気が吸い込まれた後、室外ファンケース１３Ｂの一端部に設けた吹出部１５ｂより吹き出される。室外ファンケース１３Ｂの左上部と右下部には、外方に突出して設けられたケース固定部３１、３２（図２参照）が設けられ、それぞれのケース固定部３１、３２にはこの室外ファンケース１３Ｂを固定するための前方に開口するねじ孔３３、３４が設けられている。
【００１６】
１６は室内ファン１２により吸い込んだ室内空気を屋外に排気させ、また室外ファン２０にて吸い込んだ屋外空気を室内に給気するために設けられた１本の共用給排気管で、建物の壁を挿通して家屋の内外に存在するように配されている。前記室内ファンケース１３Ａと室外ファンケース１３Ｂは、この１本の共用給排気管１６を介して繋がるようにその両端部に設けられている。給排気管１６の室内側開口端１７ａに繋がるように室内ファン１２が設置され、また同管１６の室外側開口端１７ｂに繋がるように室外ファン２０が設置されている。室外ファン２０は給排気管１６の室外側開口端１７ｂにその吹出部１５ｂが接続され、ぶら下がった格好で取り付けられている。
【００１７】
このように、室内ファン１２と室外ファン２０および両ファン１２、２０に両端部が繋がって設けられた１本の共用給排気管１６により換気装置が構成されている。
【００１８】
ここで、前記室外ファンケース１３Ｂには周囲を覆う保護カバー３５が設けられる。この保護カバー３５は、図２に示すように、建物の壁面に取り付けられる後板３６と、ファンケース１３Ｂの上方、前方及び左右側方を覆い後板３６に取り付けられる箱部３７とで構成され、下方が開放されている。後板３６の上部には、給排気管１６を屋外へ引き出せるように挿通孔３８が形成され、この挿通孔３８を通して給排気管１６を屋外へ引き出して室外側開口端１７ｂに繋がるようになっている。挿通孔３８の直径は、給排気管１６の外径に合わせて作られ、給排気管１６を挿通孔３８に挿入した場合、給排気管１６の外周に挿通孔３８の縁が当接してずれにくくなっている。
【００１９】
また、箱部３７の前面部３９には、室外ファンケース１３Ｂの給気口１４Ｂに対向して給気口１４Ｂよりやや大き目の換気用開口部４１が設けられている。この開口部４１の周縁には、図３に示すように、四角形の硬い金属の枠体４２が取り付けられており、周縁を補強している。枠体４２の内側には網やスリット構造の通気口が形成され、多量に塵埃や異物が吸い込まれないようにフィルターの役目をしている。枠体４２の左上部と右下部とには、前記室外ファンケース１３Ｂのねじ孔３３、３４に対応してそれぞれねじを挿通する貫通孔（カバー固定部）４３、４４が設けられている。
【００２０】
そして、保護カバー３５と室外ファンケース１３Ｂとを連結する場合には、図４に示すように、取付ねじ４５とスリーブ４６を用いた取付具４７を使用する。取付ねじ４５、４５のねじ部を貫通孔４３、４４に挿通した後、ねじ部にスリーブ４６、４６を挿入し室外ファンケース１３Ｂのねじ孔３３、３４に取付ねじ４５、４５を締め付ける。スリーブ４６、４６の両端がそれぞれ枠体４２の後面及び室外ファンケース１３Ｂの固定部３１、３２前面に当接して室外ファンケース１３Ｂと保護カバー３５とが連結固定される。これにより、室外ファンケース１３Ｂの給気口１４Ｂ面と保護カバー３５の開口部４１面が、距離を開けて平行に保たれるので、保護カバー３５全体の変形に対して、給気口１４Ｂ面と開口部４１面の位置がずれにくく風の通路を確保して風の流れを良好に保つことができる。
【００２１】
また、前述したように、給排気管１６が後板３６にほぼ固定され、保護カバー３５の前面部３９が室外ファンケース１３Ｂの前面部と接続されるので、保護カバー３５と室外ファンケース１３Ｂの位置関係がしっかり保たれ風の通路を確保することができる。
【００２２】
このように構成された換気装置において、前記室内ファン１２と室外ファン２０はどちらか一方を駆動するものであり、同時に駆動するものとはなっていない。室内ファン１２を単独で駆動したときには、室内ファン１２により室内空気がその給気口１４Ａから吸い込まれ、給排気管１６、室外ファン２０の給気口１４Ｂ（この場合、給気口１４Ｂは吹出用として使用される）、開口部４１を経て屋外へ排気される。
【００２３】
一方室外ファン２０を単独で駆動したときは、室外ファン２０により屋外空気が、保護カバー３５の開口部４１、給気口１４Ｂから吸い込まれ、給排気管１６、室内ファン１２の給気口１４Ａ（この場合、給気口１４Ａは吹出用として使用される）を経て室内へ吹き出される。
【００２４】
以上、一実施例に基づいて本発明を説明したが、本発明は、これに限定されるものではなく、要旨を逸脱しない範囲内で変形可能である。
【００２５】
本実施例の換気装置では、建物の壁穴に挿通されて建物の内外に配される給排気管１６を備えているが、この給排気管１６を備えずに屋外に設けた換気用の室外ファンにより建物の壁穴を通して換気する換気装置にも適用可能である。
【００２６】
また、本実施例では保護カバー３７とファンケース１３Ｂ間を２本の取付具４７、４７で連結固定しているが、３本以上で連結固定するようにしても良い。
【図面の簡単な説明】
【００２７】
【図１】本発明の一実施形態に係わる、一部切欠いて示した換気装置を備えた空気調和機の外観斜視図である。
【図２】図１の換気装置室外側を保護カバーの右側板を外して示した斜視図である。
【図３】保護カバーの正面図である。
【図４】取付具の斜視図である。
【符号の説明】
【００２８】
１  室内機
２  吸込パネル
６  熱交換器
８  循環ファン
１２  室内ファン
１３Ａ  室内ファンケース
１３Ｂ  室外ファンケース
１４Ａ、１４Ｂ  給気口
１５ａ  吹出部
１５ｂ  吹出部
１６  給排気管
１７ａ  室内側開口端
１７ｂ  室外側開口端
１８  冷媒配管
２０  室外ファン
３１、３２  ケース固定部
３３、３４  ねじ孔
３５  保護カバー
３６  後板
３７  箱部
３８  挿通孔
３９  前面部
４１  開口部
４２  枠体
４３、４４  貫通孔（カバー固定部）
４５  取付ねじ
４６  スリーブ
４７  取付具
【図１】
2005077058.tif 000003
【図２】
2005077058.tif 000004
【図３】
2005077058.tif 000005
【図４】
2005077058.tif 000006